(57)【特許請求の範囲】
【請求項１】
荷物の載置面となる上部デッキボードを有する上部品と、接地面となる下部デッキボードを有する下部品とを桁の分割面で突合せ溶着してなり、前記桁は中空構造とされたパレットにおいて、前記上部デッキボード上面に開口するＩＣタグ保持部を設けてなり、
前記ＩＣタグ保持部は、平面長方形状のＩＣタグ装着用孔と、前記ＩＣタグ装着用孔の内面に設けたＩＣタグ押圧部によって形成されており、
前記ＩＣタグ装着用孔は、上下面が開口した中空状の筒型に形成されており、中央部には開口幅よりも広幅の指先挿入部が形成されており、
前記ＩＣタグ押圧部は、前記ＩＣタグ装着用孔の内面に垂直に突設したＩＣタグを押圧する押圧リブと、前記押圧リブと対向して突設された対向リブとからなり、前記押圧リブは、前記ＩＣタグ装着用孔の長手方向の中心線に接するように突設しており、対向リブとの間隔を装着するＩＣタグの厚さ寸法よりも大きく形成してなり、押圧リブと対向リブとはＩＣタグ装着用孔の長手方向においてそれぞれ交互に形成されているとともに、下端部が連結部によって連結されていることを特徴とする合成樹脂製パレット。
【請求項２】
押圧リブ及び対向リブの先端面は湾曲していることを特徴とする請求項１に記載の合成樹脂製パレット。
【請求項３】
ＩＣタグ保持部が、２つ以上形成されていることを特徴とする請求項１又は請求項２に記載の合成樹脂製パレット。
【請求項４】
荷物の載置面となる上部デッキボードを有する上部品と、接地面となる下部デッキボードを有する下部品とを桁の分割面で突合せ溶着してなり、前記桁は中空構造とされたパレットにおいて、前記上部デッキボード上面に開口するＩＣタグ保持部を設けてなり、
前記ＩＣタグ保持部は、平面長方形状のＩＣタグ装着用孔と、前記ＩＣタグ装着用孔の内面に設けた突部と支持リブによって形成されており、
ＩＣタグ装着用孔は、上下面が開口した中空状の筒型に形成され、両端の片側隅部にそれぞれＩＣタグを着脱自在に挿入するスリットを形成してなり、
前記突部は、前記スリットを形成した側のＩＣタグ装着用孔の内面に垂直に突設し、前記支持リブは、前記突部の中間部の反対側内面に突設してなり、前記支持リブの先端面と突部との対向方向における間隔を装着するＩＣタグの厚さ寸法よりも小さく形成してなり、支持リブの下端部は連結部によって対向する内面と連結されていることを特徴とする合成樹脂製パレット。  
【請求項５】
突部及び支持リブの先端面は湾曲していることを特徴とする請求項４に記載の合成樹脂製パレット。
【発明の詳細な説明】
【技術分野】
【０００１】
この発明は、荷物を保管、運搬する際に使用するフォークリフト用の合成樹脂製パレットに係り、詳しくはＦＲＩＤにおけるＩＣタグを装着可能とした合成樹脂製パレットに関する。
【背景技術】
【０００２】
近年、商品識別・管理技術としてＦＲＩＤにおけるＩＣタグの研究が進められており、流通業界ではバーコードに代わる商品の識別・管理の仕組みとして注目されている。ＦＲＩＤ（Radio Frequency Identification）とは、無線通信を利用した非接触による書き込みと読み取りを行う自動認識技術であって、運送、工程管理、流通等の分野において、商品等の管理に用いられている。
【０００３】
ＦＲＩＤは、ＩＣタグと、ＩＣタグ内の読み取り、書き込みを行うリーダ／ライタと、その情報を管理するコンピュータシステムによって構成される。ＩＣタグを目的物に取り付けることによって商品識別、所在確認、追跡等の管理が可能になる。このようなＩＣタグを利用したパレットも提案されており、パレットのサイズ、材質、所有者等のパレット自体に関するデータ、及びパレットに載置される商品の送付先、種類等の商品自体に関するデータを記録したＩＣタグが取り付けられたパレットが知られている。
【０００４】
ＩＣタグを埋設したパレットに例えば、特開２００６−３４７５６０号公報があり、有底の箱体として形成したＩＤタグホルダー収納部材にＩＤホルダー部材を係合状態に収納するようにしたパレットに、例えば特開２００５−２８０７８４号公報がある。
【特許文献１】特開２００６−３４７５６０号公報
【特許文献２】特開２００５−２８０７８４号公報
【発明の開示】
【発明が解決しようとする課題】
【０００５】
上記特開２００６−３４７５６０号公報に記載されたパレットでは、ＩＣタグを埋設するためにＩＣタグをケースに収納しなければならない。そのために、収納ケースを製造するための金型費、製造費等の費用がかかるとともに、埋設するためにＩＣタグを収納し密封するなどの手間がかかるという問題がある。
【０００６】
また、特開２００５−２８０７８４号公報に記載されたパレットでは、上記特開２００６−３４７５６０号公報に記載されたパレットと同様に、ＩＤホルダー部材（収納ケース）の製造費用がかかる。また、ＩＤホルダー部材（収納ケース）にＩＤタグを装着するために手間がかかり、さらに、ＩＤタグホルダー収納部材の開口部からの出し入れをスムーズに行うことができないという問題がある。
【０００７】
そこで、この発明は、作業者にとってＩＣタグを容易に装着することができるとともに、取り出しも容易であるＩＣタグ装着可能な合成樹脂製パレットを提供するものである。また、この発明は、ＩＣタグがパレットの使用中の振動によって落下したり、ずれたりすることのないＩＣタグ装着可能な合成樹脂製パレットを提供するものである。
【課題を解決するための手段】
【０００８】
この発明に係る合成樹脂製パレットは、荷物の載置面となる上部デッキボードを有する上部品と、接地面となる下部デッキボードを有する下部品とを桁の分割面で突合せ溶着してなり、前記桁は中空構造とされたパレットにおいて、
前記上部デッキボード上面に開口するＩＣタグ保持部を設けてなり、
前記ＩＣタグ保持部は、平面長方形状のＩＣタグ装着用孔と、前記ＩＣタグ装着用孔の内面に設けたＩＣタグ押圧部によって形成されており、
前記ＩＣタグ装着用孔は、上下面が開口した中空状の筒型に形成されており、中央部には開口幅よりも広幅の指先挿入部が形成されており、
前記ＩＣタグ押圧部は、前記ＩＣタグ装着用孔の内面に垂直に突設したＩＣタグを押圧する押圧リブと、前記押圧リブと対向して突設された対向リブとからなり、前記押圧リブは、前記ＩＣタグ装着用孔の長手方向の中心線に接するように突設しており、対向リブとの間隔を装着するＩＣタグの厚さ寸法よりも大きく形成してなり、押圧リブと対向リブとはＩＣタグ装着用孔の長手方向においてそれぞれ交互に形成されているとともに、下端部が連結部によって連結されていることを特徴とする。
前記押圧リブ及び対向リブの先端面は湾曲していることが好ましい。また、ＩＣタグ保持部は、２つ以上形成してもよい。
【０００９】
この発明に係る合成樹脂製パレットは、荷物の載置面となる上部デッキボードを有する上部品と、接地面となる下部デッキボードを有する下部品とを桁及び中央部の桁の分割面で突合せ溶着してなり、前記桁は中空構造とされたパレットにおいて、
前記上部デッキボード上面に開口するＩＣタグ保持部を設けてなり、
前記ＩＣタグ保持部は、平面長方形状のＩＣタグ装着用孔と、前記ＩＣタグ装着用孔の内面に設けた突部と支持リブによって形成されており、
ＩＣタグ装着用孔は、上下面が開口した中空状の筒型に形成され、両端の片側隅部にそれぞれＩＣタグを着脱自在に挿入するスリットを形成してなり、
前記突部は、前記スリットを形成した側のＩＣタグ装着用孔の内面に垂直に突設し、前記支持リブは、前記突部の中間部の反対側内面に突設してなり、前記支持リブの先端面と突部との対向方向における間隔を装着するＩＣタグの厚さ寸法よりも小さく形成してなり、支持リブの下端部は連結部によって対向する内面と連結されていることを特徴とする。
前記突部及び支持リブの先端面は湾曲していることが好ましい。
【発明の効果】
【００１０】
この発明によれば上記構成から明らかなように、次のような効果を奏することができる。
（１）ＩＣタグ保持部をＩＣタグ装着用孔の内面にＩＣタグを押圧する押圧リブを交互に向かい合うように設けた場合には、ＩＣタグはその可撓性によって平面において波形状に保持されるから、落下することなく安定した状態で装着することができる。
（２）前記ＩＣタグを押圧する押圧リブの反対側に対向する対向リブを設けた場合には、一層安定した状態でＩＣタグを保持することができる。
（３）ＩＣタグ保持部を平面略長方形状のＩＣタグ装着用孔をパレットの上面に開口させて、前記ＩＣタグ装着用孔の片側内面に複数の突部を設け、前記ＩＣタグ装着用孔の反対側内面に前記突部と突部の間において対向し、ＩＣタグを押圧する支持リブを設け場合にも、ＩＣタグを波形状に保持することができる。
（４）ＩＣタグ装着用孔の底面を開口させることによって、雨水や塵埃等が落下してＩＣタグ装着用孔内を清潔に保ち、支持リブの下端部を連結することによって、装着したＩＣタグの落下を確実に防止することができる。
（５）突部、押圧リブ及び対向リブの先端面を湾曲させた場合には、ＩＣタグを損傷させることがないとともに、出し入れが容易である。
【発明を実施するための最良の形態】
【００１１】
以下に、この発明の実施形態を図面に基づいて詳細に説明する。図１は合成樹脂製パレット１０の第１実施形態を示す説明用平面図である。パレット１０は、荷物の保管、輸送の際に使用するパレットであって、荷物の積載面となる上部デッキボード１１と接地面となる下部デッキボード１２とを、四隅の桁１３とその中間に設けた桁１４及び中央部に設けた桁１５で連結してなる。上部デッキボード１１、下部デッキボード１２と四隅の桁１３及び中間部の桁１４で囲まれた空隙をフォーク差込口１６とした四方差しパレットである。
【００１２】
上記パレットは予め各桁の中間部分で分割成形した上部品Ｍと下部品Ｎとを桁の先端面で突き合わせ溶着してなり、四隅の桁１３，中間部の桁１４及び中央部の桁１５はほぼ密封された中空構造とされている。前記上部デッキボード１１の下面と下部デッキボード１２の上面には、図示しない補強リブが縦横に設けられている。
【００１３】
中央部桁１５には、上部デッキボード１１の上面に開口したＩＣタグ保持部２０が形成されている。前記ＩＣタグ保持部２０は、平面において全体として長方形状に形成されており、図示する実施形態では中央部桁の中心部を挟んで直線状に２つ形成されている。なお、前記ＩＣタグ保持部２０に取り付けられるＩＣタグは、主にカード型形状のものを対象としている。
【００１４】
次に、図３〜図５に基づいて、上記ＩＣタグ保持部２０について詳細に説明する。ＩＣタグ保持部２０は、平面長方形状のＩＣタグ装着用孔２１と前記ＩＣタグ装着用孔２１内部に設けたＩＣタグ押圧部２３によって形成されている。前記ＩＣタグ装着用孔２１は、平面形状を長方形とした中空状の筒型に形成されており、中央部は、ＩＣタグを出し入れする際に指先を挿入可能なように広幅の指先挿入部２４とされている。
【００１５】
前記指先挿入部２４はＩＣタグを挟んだ指先を挿入し、またＩＣタグ装着用孔２１に装着したＩＣタグを指先で摘んで引き出すことができる大きさであればよい。ＩＣタグ装着用孔２１と指先挿入部２４は、上下面が開口して形成されているから、雨水や塵埃が溜まることがない。したがって、装着したＩＣタグを汚すことがなくきれいに保持することができる。
【００１６】
次に、前記ＩＣタグ押圧部２３について説明すると、ＩＣタグ押圧部２３は、ＩＣタグ装着用孔の長手方向において交互に向い合い、ＩＣタグを押圧する押圧リブ２６と対向する対向リブ２７によって形成されている。押圧リブ２６を交互に向い合って突設することによって、装着されたＩＣタグは僅かに波形状に変形して保持されることになる。
【００１７】
前記押圧リブ２６と対向リブ２７は、ＩＣタグ装着用孔２１の内面に垂直に形成されており、下端部が連結部２９によって連結されている。押圧リブ２６と対向リブ２７の下端部を連結部２９によって連結することにより、装着されたＩＣタグは落下が防止され確実に保持される。押圧リブ２６と対向リブ２７は、先端面が湾曲して形成されており互いに対向している。押圧リブ２６と対向リブ２７の先端面を湾曲することによって、ＩＣタグを損傷することなく、しかも容易に装着することができる。
【００１８】
押圧リブ２６と対向リブ２７の間隔は、装着するＩＣタグの厚さ寸法よりも僅かに大きく形成されており、たとえば、０．５ｍｍ〜１ｍｍとすることができる。そして、押圧リブ２６は、ＩＣタグ装着用孔２１の中心線Ｓに接しているが、支持リブ２７は、中心線Ｓから所定の寸法だけ離れている。
【００１９】
前記押圧リブ２６と対向リブ２７は、ＩＣタグ装着用孔２１の中心線Ｓを挟んで対向しているとともに、長手方向においては交互に形成されている。すなわち、図３に明らかなように、図中上段側においては、対向リブ２７の次に押圧リブ２６が形成され、押圧リブ２６の次に対向リブ２７が形成されている。図中下段側においては、押圧リブ２６に次に対向リブ２７が形成され、対向リブ２７の次に押圧リブ２６が形成されている。
【００２０】
上記のように、押圧リブ２６をＩＣタグ装着用孔２１の長手方向において交互に対向する構成としたから、装着したＩＣタグの側面が交互に押圧されることになり、ＩＣタグは僅かに波形状に変形しながら保持されることになる。したがって、装着されたＩＣタグは、交互に押圧リブ２６によって保持されることになるから、ＩＣタグ保持部２０のＩＣタグ押圧部２３は、押圧リブ２６によってのみ形成し、対向する対向リブ２７は適宜省略することが可能である。
【００２１】
なお、図４において、１５ａは、中央部桁１５を形成する上部デッキボード１１側の中央部桁を示し、１５ｂは同じく下部デッキボード１２側の中央部桁を示す。桁１５は中空構造であるから、押圧リブ２６，対向リブ２７及び連結部２９によって形成されるＩＣタグ保持部２０は、図５に示すように、上部デッキボード１１から垂下されたように構成されている
【００２２】
上記構成のＩＣタグ保持部２０は、上部デッキボード側にのみ形成してもよいが、下部デッキボード側にも形成することができる。上部デッキボードと下部デッキボードの両方に形成する場合には、図６に示すように、上下において対称に形成し上下デッキボードの両面にＩＣタグ装着用孔２１を開口させる構成とすることができる。また、指先挿入部２４は、適宜省略することも可能である。
【００２３】
また、ＩＣタグ保持部２０は、上記実施形態では中央部桁の中心部を挟んで直線状に２つ形成したが、図７（ａ）に示すように、中央部桁の中心部を挟んで並行に２つ形成してもよく、図７（ｂ）に示すように、中央部桁の中心部に１つ形成してもよい。また、１つのＩＣタグ保持部２０を形成する場合には、必ずしも中央部桁の中心部に限定されるものではなく、中心部から外れた位置に形成してもよい。
【００２４】
さらに、上記実施形態では中央部桁に形成する場合について説明したが、ＩＣタグ保持部２０を形成する位置は中央部桁に限らず、中間桁１４に形成することができる。なお、ＩＣタグ保持部２０を中間桁１４に形成する場合にも、配列の方向、数及び下部デッキボードにも形成することが可能であること等については、上記中央部桁について説明したことが当然適用される。
【００２５】
次に、図８〜図１０に示すこの発明の第２実施形態について説明する。図８〜図１０は、第１実施形態の図３〜図５に対応している。第１実施形態では、ＩＣタグ装着用孔２１の長手方向にＩＣタグ保持部２０を形成する構成としたが、第２実施形態ではＩＣタグ保持部３０をＩＣタグ装着用孔３１の片側に沿って形成する構成とした。
【００２６】
ＩＣタグ装着用孔３１は、平面形状を長方形とした中空状の筒型に形成されており、両端の片側隅部にそれぞれＩＣタグを着脱自在に挿入するスリット３２、３２を形成してなる。前記スリット３２,３２が形成されている長辺側の内面３５には、突部３６が垂直方向に形成されており、下端部は前記ＩＣタグ装着用孔３１の下端に達している。突部３６は、図示する実施形態では、等間隔に３つ形成されている。突部３６の突出高さは、前記スリット３２，３２に装着されたＩＣタグの側面を押圧する突出量であればよく、たとえば、０．１ｍｍ〜０．５ｍｍの突出高さに形成することができる。
【００２７】
さらに、前記長辺側の内面３５とは反対側の長辺側の内面３７には、支持リブ３８が前記突部３６、３６の中間位置において長辺側の内面３５と対向するように突設されている。前記支持リブ３８の下端部は、ＩＣタグ装着用孔３１の下端部において前記長辺側の内面３５の下端部と連結部３９によって連結している。また、支持リブ３８の先端面は湾曲している。支持リブ３８の先端面と突部３６との対向方向における間隔は、装着されたＩＣタグを互いに押圧するように、装着するＩＣタグの肉厚寸法より小さいことが好ましい。
【００２８】
上記のように、突部３６と支持リブ３８をそれぞれ互いの中間位置において対向するように形成することによって、可撓性を有するＩＣタグは次のようにして保持される。即ち、ＩＣタグ装着用孔３１にＩＣタグを装着すると、ＩＣタグの両端部がスリット３２，３２に挿入されて保持され、ＩＣタグの側面が突部３６によって押圧される。一方、ＩＣタグは、突部３６によって押圧さるものの反対側に設けた支持リブ３８によって押し返されることになるから、ＩＣタグは僅かに波形状に変形して保持されることになる。
【００２９】
ＩＣタグ保持部３０を上記のように構成することによって、ＩＣタグは、突部３６と支持リブ３８の押圧力によって保持されることになる。また、下面は連結部３９に載置されることによって落下するのが防止される。装着されたＩＣタグは、指先をＩＣタグ装着用孔３１に差し込み、ＩＣタグに押し付けながら引き上げれば簡単に取り出すことができる。
【００３０】
第１実施形態と第２実施形態とは、ＩＣタグ保持部の形状が異なるものの、第２実施形態においても、ＩＣタグ保持部の数、配列方法（直線状または平行）、中間桁にも形成することが可能であること等、形状以外については第１実施形態において述べたところが適用される。
【図面の簡単な説明】
【００３１】
【図１】この発明の一実施形態に係る合成樹脂製パレットの説明用平面図である。
【図２】同じく正面図である。
【図３】第１実施形態に係るＩＣタグ保持部の要部拡大平面図である。
【図４】左半分は図３のＡ−Ａ断面図、右半分は図３のＢ−Ｂ断面図である。
【図５】図３のＣ−Ｃ断面図である。
【図６】ＩＣタグ保持部を上下対称に形成した場合の図４に対応する断面図である。
【図７】図７（ａ）は第１実施形態のＩＣタグを平行に設けた場合の要部平面図、図７（ｂ）は第１実施形態のＩＣタグを１つ設けた場合の要部平面図である。
【図８】第２実施形態に係るＩＣタグ保持部の要部拡大平面図である。
【図９】左半分は図８のＤ−Ｄ断面図、右半分は図８のＥ−Ｅ断面図である。
【図１０】図８のＦ−Ｆ断面図である。
【符号の説明】
【００３２】
１０：パレット
１１：上部デッキボード
１２：下部デッキボード
１３：四隅の桁
１４：中間桁
１５：中央部桁
１６：フォーク差込口
２０：ＩＣタグ保持部
２１：ＩＣタグ装着用孔  
２３：ＩＣタグ押圧部
２４：指先挿入部
２６：押圧リブ
２７：対向リブ
２９：連結部
３０：ＩＣタグ保持部
３１：ＩＣタグ装着用孔
３２：スリット
３５、３７：長手側の内面
３６：突部
３８：支持リブ
３９：連結部
【図１】
0004923196.tif 000002
【図２】
0004923196.tif 000003
【図３】
0004923196.tif 000004
【図４】
0004923196.tif 000005
【図５】
0004923196.tif 000006
【図６】
0004923196.tif 000007
【図７】
0004923196.tif 000008
【図８】
0004923196.tif 000009
【図９】
0004923196.tif 000010
【図１０】
0004923196.tif 000011